(57)【要約】      （修正有）【課題】現在表示している画像と次に表示する画像との配列関係を考慮して次に表示する画像を視認できるように画像の切替え表示を行う。【解決手段】複数の画像を記憶する記憶手段（記憶部１３）と、所定の送り操作により、前記記憶手段に記憶されている複数の画像を所定の基準に基づく配列順で送りながら所定の表示サイズで表示画面（表示部１６）に表示する表示手段と、前記表示手段により表示中の第１画像を、前記所定の送り操作により送られる第２画像に置き換える際に、前記第１画像と第２画像を基に所定の画像処理を行った処理画像を、前記第１画像から前記第２画像へ表示を置き換える途中経過を示すように表示する表示制御手段（制御部１１）と、前記所定の画像処理を、前記第１画像から前記第２画像へ１回表示を置き換える前記画像の送り速度又は前記所定の表示サイズに応じて変化させる画像処理制御手段と、を備える。【選択図】図１
2015176527.tif 000002
【特許請求の範囲】
【請求項１】
複数の画像を記憶する記憶手段と、
所定の送り操作により、前記記憶手段に記憶されている複数の画像を所定の基準に基づく配列順で送りながら所定の表示サイズで表示画面に表示する表示手段と、
前記表示手段により表示中の第１画像を、前記所定の送り操作により送られる第２画像に置き換える際に、前記第１画像と第２画像を基に所定の画像処理を行った処理画像を、前記第１画像から前記第２画像へ表示を置き換える途中経過を示すように表示する表示制御手段と、
前記所定の画像処理を、前記第１画像から前記第２画像へ１回表示を置き換える前記画像の送り速度又は前記所定の表示サイズに応じて変化させる画像処理制御手段と、
を備えることを特徴とする画像表示装置。
【請求項２】
前記画像処理制御手段は、前記所定の画像処理の頻度を、前記画像の送り速度又は前記所定の表示サイズに応じて変化させることを特徴とする請求項１に記載の画像表示装置。
【請求項３】
前記所定の画像処理は、前記第１画像の一部と前記第２画像の一部とを、前記所定の表示サイズに合成して前記処理画像を生成する処理であることを特徴とする請求項２に記載の画像表示装置。
【請求項４】
前記第１画像の一部は前記画像の送り方向の逆側であり、前記第２画像の一部は前記画像の前記送り方向側であることを特徴とする請求項３に記載の画像表示装置。
【請求項５】
前記画像処理制御手段は、前記表示制御手段による前記処理画像の表示ごとに前記第１画像の一部となる面積と前記第２画像となる面積の比の変化量を、前記頻度に応じて変化させることを特徴とする請求項３または請求項４に記載の画像表示装置。
【請求項６】
前記画像処理制御手段は、前記画像の送り速度が遅いほど前記頻度を高くすることを特徴とする請求項２から請求項５のいずれか１項に記載の画像表示装置。
【請求項７】
前記画像処理制御手段は、
前記画像の送り速度が所定の速度を超える場合、前記画像処理を行わないことを特徴とする請求項１から請求項６のいずれか１項に記載の画像表示装置。
【請求項８】
前記画像処理制御手段は、前記表示サイズが大きいほど前記頻度を高くすることを特徴とする請求項２から請求項５のいずれか１項に記載の画像表示装置。
【請求項９】
前記画像処理制御手段は、前記画像のサムネイルを前記表示サイズで前記表示画面に複数配列して表示するとともに、その表示中の前記サムネイルの一を識別表示し、さらに、前記識別表示された前記サムネイルに該当する画像を前記サムネイルと重複しないように前記表示サイズよりも大きいサイズで前記表示画面に表示し、前記画像処理を前記サムネイルに対して行うことを特徴とする請求項１から請求項８のいずれか１項に記載の画像表示装置。
【請求項１０】
前記識別表示は、前記複数配列して表示している前記サムネイルのうち中央の前記サムネイルを他の前記サムネイルより位置をずらして表示するものであることを特徴とする請求項９に記載の画像表示装置。
【請求項１１】
前記配列の基準が２以上であり、送り方向が２次元以上であることを特徴とする請求項１から請求項８のいずれか１項に記載の画像表示装置。
【請求項１２】
複数の画像を記憶する記憶手段を有する画像表示装置における画像表示方法であって、
所定の送り操作により、前記記憶手段に記憶されている複数の画像を所定の基準に基づく配列順で送りながら所定の表示サイズで表示画面に表示する表示ステップと、
前記表示ステップにより表示中の第１画像を、前記所定の送り操作により送られる第２画像に置き換える際に、前記第１画像と前記第２画像を基に所定の画像処理を行った処理画像を、前記第１画像から前記第２画像へ表示を置き換える途中経過を示すように表示する表示制御ステップと、
前記所定の画像処理を、前記第１画像から前記第２画像へ１回表示を置き換える前記画像の送り速度又は前記所定の表示サイズに応じて変化させる画像処理制御ステップと、
を含むことを特徴とする画像表示方法。
【請求項１３】
複数の画像を記憶する記憶手段を有する画像表示装置のコンピュータに、
所定の送り操作により、前記記憶手段に記憶されている複数の画像を所定の基準に基づく配列順で送りながら所定の表示サイズで表示画面に表示する表示機能と、
前記表示機能により表示中の第１画像を、前記所定の送り操作により送られる第２画像に置き換える際に、前記第１画像と前記第２画像を基に所定の画像処理を行った処理画像を、前記第１画像から前記第２画像へ表示を置き換える途中経過を示すように表示する表示制御機能と、
前記所定の画像処理を、前記第１画像から前記第２画像へ１回表示を置き換える前記画像の送り速度又は前記所定の表示サイズに応じて変化させる画像処理制御機能と、
を実現する画像表示装置のプログラム。
【発明の詳細な説明】
【技術分野】
【０００１】
本発明は、画像表示装置、画像表示方法、及び画像表示装置のプログラムに関する。
【背景技術】
【０００２】
従来、複数の画像を自動で連続して表示するスライドショーが広く知られており、スライド切り替え時の表示をより効果的に行うために、例えば、特許文献１に、次に表示する画像の撮影位置や撮影方向を考慮して表示を行う技術が開示されている。
【先行技術文献】
【特許文献】
【０００３】
【特許文献１】特開２０１３−１４３７１７号公報
【発明の概要】
【発明が解決しようとする課題】
【０００４】
しかしながら、特許文献１に開示された技術は、現在表示している画像と次に表示する画像との配列関係を考慮して次に表示する画像を視認できるように画像の切替え表示を行うものではない。
【０００５】
本発明は、このような事情に鑑みなされたものであり、画像の切替え表示を適切に行うことができるようにすることを目的とする。
【課題を解決するための手段】
【０００６】
本発明に係る第１の態様は、
複数の画像を記憶する記憶手段と、
所定の送り操作により、前記記憶手段に記憶されている複数の画像を所定の基準に基づく配列順で送りながら所定の表示サイズで表示画面に表示する表示手段と、
前記表示手段により表示中の第１画像を、前記所定の送り操作により送られる第２画像に置き換える際に、前記第１画像と第２画像を基に所定の画像処理を行った処理画像を、前記第１画像から前記第２画像へ表示を置き換える途中経過を示すように表示する表示制御手段と、
前記所定の画像処理を、前記第１画像から前記第２画像へ１回表示を置き換える前記画像の送り速度又は前記所定の表示サイズに応じて変化させる画像処理制御手段と、
を備えることを特徴とする画像表示装置を提供する。
【０００７】
本発明に係る第２の態様は、
複数の画像を記憶する記憶手段を有する画像表示装置における画像表示方法であって、
所定の送り操作により、前記記憶手段に記憶されている複数の画像を所定の基準に基づく配列順で送りながら所定の表示サイズで表示画面に表示する表示ステップと、
前記表示ステップにより表示中の第１画像を、前記所定の送り操作により送られる第２画像に置き換える際に、前記第１画像と前記第２画像を基に所定の画像処理を行った処理画像を、前記第１画像から前記第２画像へ表示を置き換える途中経過を示すように表示する表示制御ステップと、
前記所定の画像処理を、前記第１画像から前記第２画像へ１回表示を置き換える前記画像の送り速度又は前記所定の表示サイズに応じて変化させる画像処理制御ステップと、
を含むことを特徴とする画像表示方法を提供する。
【０００８】
本発明に係る第３の態様は、
複数の画像を記憶する記憶手段を有する画像表示装置のコンピュータに、
所定の送り操作により、前記記憶手段に記憶されている複数の画像を所定の基準に基づく配列順で送りながら所定の表示サイズで表示画面に表示する表示機能と、
前記表示機能により表示中の第１画像を、前記所定の送り操作により送られる第２画像に置き換える際に、前記第１画像と前記第２画像を基に所定の画像処理を行った処理画像を、前記第１画像から前記第２画像へ表示を置き換える途中経過を示すように表示する表示制御機能と、
前記所定の画像処理を、前記第１画像から前記第２画像へ１回表示を置き換える前記画像の送り速度又は前記所定の表示サイズに応じて変化させる画像処理制御機能と、
を実現する画像表示装置のプログラムを提供する。
【発明の効果】
【０００９】
本発明によれば、画像の切替え表示を適切に行うことができる。
【図面の簡単な説明】
【００１０】
【図１】本発明の実施の形態に係る画像表示装置の構成を示すブロック図である。
【図２】本発明の実施の形態に係る画像表示装置により生成される表示画面構成の一例を示す図である。
【図３】本発明の実施の形態に係る画像表示装置の再生モード処理の動作を示すフローチャートである。
【図４】本発明の実施の形態に係る画像表示装置のアニメーション処理の詳細な手順を示すフローチャートである。
【図５】本発明の実施の形態に係る画像表示装置の表示画面切替えの概念図である。
【図６】本発明の実施の形態に係る画像表示装置のアニメーション表示の一例を示す図である。
【図７】本発明の実施の形態に係る画像表示装置の多次元配列の場合の表示画面切替えの概念図である。
【発明を実施するための形態】
【００１１】
以下、添付図面を参照して、本発明を実施するための形態（以下、単に、本実施形態という）について詳細に説明する。なお、実施形態の説明の全体を通して同じ要素には同じ番号または符号を付している。
【００１２】
（実施形態の構成）
本実施形態は、画像表示装置１としてデジタルカメラに適用した場合を例示したもので、図１は、このデジタルカメラの基本的な構成要素を示したブロック図である。
【００１３】
図１に示すように、本実施形態に係る画像表示装置１（デジタルカメラ）は、静止画像のほかに動画像の撮影も可能なコンパクトカメラや一眼レフカメラであり、制御部１１と、電源部１２と、記憶部１３と、操作部１４と、撮像部１５と、表示部１６と、により構成される。
【００１４】
制御部１１は、電源部１２（二次電池）からの電力供給によって動作し、記憶部１３に記憶された各種プログラムに応じてデジタルカメラ全体の動作を制御するもので、この制御部１１には図示しないＣＰＵ（中央演算処理装置）や後述する現在ポインタやレジスタ等が割り当てられたメモリが内蔵されている。
【００１５】
記憶部１３は、例えば、ＲＯＭ、フラッシュメモリなどを有する構成で、後述する図３、図４に示す処理手順に応じて本実施形態の画像表示装置１を実現するためのプログラムや各種のアプリケーションなどが格納されるプログラム領域と、デジタルカメラが動作するために必要な各種情報や撮影された画像等を一時的に記憶するワーク領域等が割り当てられ記憶されている。なお、記憶部１３は、例えば、ＳＤカード、ＩＣカード等、着脱自在な可搬型メモリ（記録メディア）を含む構成であってもよい。また、図示省略してあるが、通信機能を介してネットワークに接続されている状態にあっては所定のサーバ装置側の記憶領域を含むものであってもよい。
【００１６】
操作部１４は、押しボタン式のキーとして、撮影可能な状態とする撮影モード（セルフタイマ撮影モード、連写撮影モードなど）、撮影済み画像を再生する再生モードなどを切替えるモード変更キー、撮影開始を指示するシャッタキー、露出やシャッタスピード等の撮影条件の設定操作などを行うための各種のキー（図示省略）の他に、再生モードにおいて、撮影画像（サムネイル）のページ送り、戻り操作を行う十字キーあるいはコントロールダイヤル等を備えている。制御部１１は、ユーザによる操作部１４の操作キーの押下に対応して出力される入力操作信号に応じて、撮影処理、撮影条件の設定処理、再生処理、画像送り等の処理を行う。
【００１７】
撮像部１５は、図示省略したが、光学レンズからの被写体像が撮像素子（ＣＣＤやＣＭＯＳなど）に結像されることにより被写体を高精細に撮影可能なカメラ部を構成するもので、撮影レンズ（例えば、ズームレンズ）、撮像素子、ストロボ、各種のセンサ、アナログ処理部、デジタル処理部を有している。そして、撮像部１５は、静止画像のほかに動画像の撮影も可能であり、光電変換された画像信号（アナログ値の信号）は、色分離やＲＧＢの色成分毎のゲイン調整などが行われた後、デジタル値のデータに変換される。デジタル変換された画像データは、色補間処理（デモザイク処理）が施されて表示部１６にフルカラー表示される。また、本実施形態においては、オートフォーカス処理（ＡＦ処理）、露出調整処理（ＡＥ処理）、オートホワイトバランス調整処理（ＡＷＢ）、画像圧縮処理、画像復元処理なども実行可能となっている。
【００１８】
表示部１６は、例えば、縦横比（横４：縦３）の表示画面を有した高精細液晶ディスプレイ、あるいは有機ＥＬ（ＯＬＥＤ）ディスプレイで、撮影画像を表示するモニタ画面（ライブビュー画面）になったり、撮影画像を再生する再生画面になったりする。なお、表示部１６は、表示パネル上にタッチパネルが積層配設された構成でもよい。この場合、タッチパネルは、撮影者の指等でタッチ操作された位置を検知してその座標データを入力するタッチスクリーンを構成し、例えば、静電容量方式、あるいは抵抗膜方式を採用しているが、その他の方式でもよい。
【００１９】
上記構成において、制御部１１は、再生モード時、記憶部１３に記憶された画像を、例えば、撮影日時、ファイル名、ファイルサイズ等、所定の基準に基づく配列順で表示部１６へ送り、１以上の画像を所定の表示サイズで表示する表示制御手段として機能する。このとき制御部１１により生成され、表示部１６に表示される表示画面構成の一例が図２に示されている。図２は、記憶部１３に記憶されている画像ファイルが７個以上ある場合の再生画面であり、表示部１６の表示画面の下部にファイル番号５７〜６３のサムネイル７コマの画像が横方向に順次並べて表示され、中央の識別表示されているファイル番号６０のサムネイルに該当する画像が表示画面中央部に拡大して表示されている。
【００２０】
制御部１１は、表示部１６の表示画面下部に配置され表示されているサムネイルを前後（左右）に送る際に、銀塩フィルムを左右にスライドするような画像処理、すなわち、表示中の第１画像であるサムネイル画像と、置換のために送られる第２画像である第１画像に隣接して位置するサムネイル画像とを基に、所定の画像処理を行った処理画像を、置換えの途中経過を示すように第１画像の表示を第２画像に置換える途中で表示する。ここでいう所定の画像処理とは、コマ数（頻度）に依存する画像の送り速度又は画像の表示サイズに基づき制御される第１画像の一部と第２画像の一部とを合成するアニメーション処理である。詳細については後述する。
【００２１】
（実施形態の動作）
以下、図３以降を参照して図１の本実施形態に係る画像表示装置１の動作について詳細に説明する。
【００２２】
図３は、本実施形態に係る画像表示装置１の再生モード処理動作を示すフローチャートである。図３によれば、制御部１１は、まず、表示モードが列表示モードであるか否かを判定する（ステップＳ１１）。本実施形態に係る画像表示装置１では、再生モードとして、表示画面全体に撮影情報等の補助情報の表示無しで画像を表示する「全画面表示モード」と、表示部１６の表示画面の下部にサムネイル７コマが横に並べて表示され、中央の識別表示されているサムネイルに該当する画像を表示画面中央部に拡大して表示する「列表示モード」とが用意されている。
【００２３】
図５に、全画面モードと列表示モードの表示画面切り替えの様子が示されている。図５において、上の行に示す３つの表示画面は、全画面表示モードにおけるそれぞれの表示画面であり、下の行に示す３つの表示画面は、列表示モードにおけるそれぞれの表示画面を示す。そして、いずれもｎは現在表示されている画面、ｎ−１は所定の基準に基づく配列順で１つ前の画像が表示されている画面、ｎ＋１は所定の基準に基づく配列順で次の画像が表示されている画面を示し、図示省略した操作部（十字キーまたはコントロールダイヤル）の操作により、前後（左右）のいずれの方向にも切替えにより遷移できるものとし、また、いずれのモードにおいても先頭の画像と最後尾の画像とはシームレスにつながるものとする。
【００２４】
説明を図３に戻す。表示モードが「列表示モード」になっていた場合（ステップＳ１１“ＹＥＳ”）、制御部１１は、表示部１６の画面下部に、現在ポインタが示す識別表示されたサムネイルを中心に７個並べて表示するとともに（ステップＳ１２）、識別表示されているサムネイルに該当する画像を表示画面中央部に拡大して表示する（ステップＳ１３）なお、識別表示されている中央のサムネイルは、他と比べて位置を上側にずらし太枠で囲うことにより他と識別表示している。なお、現在ポインタは、制御部１１が内蔵する不揮発性のレジスタに割り付けられており、制御部１１によりリードライトされ、撮影モードへ移行し、あるいは電源がオフしても内容が保持されるものとする。
【００２５】
一方、表示モードが全画面表示モードになっていた場合（ステップＳ１１“ＮＯ”）、制御部１１は、現在ポインタが示す画面を表示部１６の表示画面に全画面表示する（ステップＳ１４）。
【００２６】
続いて、制御部１１は、表示切替え操作の有無を判定する（ステップＳ１５）。表示切替えの操作がなかった場合（ステップＳ１５“ＮＯ”）、制御部１１は、画像送り操作の有無を判定する（ステップＳ１６）。制御部１１は、画像送り操作であると判定すると（ステップＳ１６“ＹＥＳ”）、更に、キーリピート中か否かを判定し（ステップＳ１７）、キーリピート中（画像送り操作を繰り返す）でなれば（ステップＳ１７“ＮＯ”）、サムネイルのアニメーション処理を実行する（ステップＳ１８）。
【００２７】
なお、ここでいうアニメーション処理（ステップＳ１８）とは、列表示モードにおいて、表示部１６の画面中央部に拡大表示された表示中のサムネイルと、そのサムネイルと置換のために送られる次に表示するサムネイルとを基に所定の画像処理を行った処理画像を、置換えの途中経過を示すように、置換え前のサムネイルの表示を置換え後のサムネイルに置換える途中で表示する処理をいい、画面下部に並んで表示されているサムネイルの全てが処理対象になり、表示されていない新たなサムネイルもその画像を使用した画像処理が実行される。詳細については図４のフローチャートを使用して後述する。
【００２８】
アニメーション処理実行後（ステップＳ１８）、制御部１１は、現在ポインタを送り方向に応じて更新し（ステップＳ１９）、ステップＳ１１の表示モード判定処理に戻る。ステップＳ１５で、表示切替え操作が検出された場合は（ステップＳ１５“ＹＥＳ”）現行の列表示モードから全画面表示モードへ、あるいは現行の全画面表示モードから列表示モードへ、表示モードの切替え処理をそれぞれ実行してステップＳ１１の表示モード判定処理に戻る。なお、ステップＳ１６の画像送り操作は、操作部１４に割り当てられた十字キー、もしくは十字キーの周辺に回転可能に配置されたコントロールダイヤルをユーザが操作することにより指示されるものとし、制御部１１がこれを検出することにより上記の制御を行う。また、ステップＳ１７のキーリピートの判定は、十字キーが、例えば、１秒以上連続して押下されていることを検出することにより実現され、この時間は任意である。キーリピート中の送り速度は、例えば、０．１５秒／枚とする。なお、キーリピート中の場合は（ステップＳ１７“ＹＥＳ”）、サムネイルのアニメーション処理（ステップＳ１８）を行なわず、現在ポインタを送り方向に応じて更新し（ステップＳ１９）、ステップＳ１１の表示モード判定処理に戻る。
【００２９】
ステップＳ１６で画像送り操作が無いと判定されると（ステップＳ１６“ＮＯ”）、制御部１１は、更に、操作部１４による撮影モード移行操作の有無を判定し（ステップＳ２１）、撮影モード移行操作ありと判定されると（ステップＳ２１“ＹＥＳ”）、撮影モードへの移行処理を実行し（ステップＳ２２）、撮影モード移行操作が無いと判定されると（ステップＳ２１“ＮＯ”）、更に、電源オフ操作の有無を判定する（ステップＳ２３）。ここで、電源オフ操作ありと判定されると（ステップＳ２３“ＹＥＳ”）、制御部１１は、電源オフ処理を実行（ステップＳ２４）して終了し、電源オフ操作が無いと判定されると（ステップＳ２３“ＮＯ”）、更に、その他の操作の有無を判定し（ステップＳ２５）、表示している画像のズームや削除といったその他の操作ありと判定されると（ステップＳ２５“ＹＥＳ”）、その操作に応じた処理実行後（ステップＳ２６）、ステップＳ１５の表示切替え判定処理に戻る。
【００３０】
なお、ステップＳ１５の表示切替え操作、ステップＳ２１の撮影モード移行操作、ステップＳ２３の電源オフ操作、ステップＳ２５のその他の操作は、いずれもユーザが操作部１４に割り当てられた所定のキーを操作することにより指示されるものとする。
【００３１】
ここで、図４のフローチャートを参照しながらアニメーション処理についての詳細説明を行う。制御部１１は、ステップＳ１８１で、まず、画像の送り速度と表示サイズとを取得する。ここで、画像の送り速度は、直前の操作から今回の操作までの時間間隔に基づいて可変であり、１回目のみ、例えば、０．５秒／枚で固定である。
【００３２】
続いて、制御部１１は、アニメーションのためのコマ数を算出する（ステップＳ１８２）。コマ数Ｆは、Ｆ＝（Ｌ／Ａ）＊Ｖ（小数点以下切捨て）の演算式により定義される。ここで、Ｆはアニメーションのコマ数、Ｌは画像の横ピクセルサイズであり、Ａは表示画面のサイズに応じてコマを制御するための定数（例えば、１２０）、Ｖは送り速度（画像１枚あたりの送り速度［ｓｅｃ］）である。このため、例えば、１２０＊９０ピクセルサイズのサムネイル画像を１枚０．５秒で画像送り操作を行うと３コマになる。なお、１コマの送り時間Ｔ［ｓｅｃ］は、Ｔ＝Ｖ／Ｆで定義される。
【００３３】
続いて、制御部１１は、アニメーション表示の有無を判定し（ステップＳ１８３）、アニメーション表示があれば（ステップＳ１８３“ＹＥＳ”）、内蔵するレジスタｉに“１”を設定する（ステップＳ１８４）。そして、現在ポインタが示すサムネイル画像の送り方向と逆側の（コマ数−ｉ）／コマ数分の画像を切り出す（ステップＳ１８５）。続いて、制御部１１は、現在ポインタの次のサムネイル画像の送り方向側のｉ／コマ数分の画像を切り出し（ステップＳ１８６）、これら切り取った画像を合成する（ステップＳ１８７）。
【００３４】
続いて制御部１１は、１コマ分の時間経過を待って（ステップＳ１８８“ＹＥＳ”）、合成画像を表示部１６に表示し（ステップＳ１８９）、制御部１１が内蔵するレジスタｉを＋１更新する（ステップＳ１９０）。そして、ステップＳ１８５〜Ｓ１９０までの処理を、ｉが算出したコマ数と等しくなるまで繰り返し実行し（ステップＳ１９１“ＹＥＳ”）、図４のアニメーション処理を抜け、図３に戻り、現在ポインタを送り方向に応じて更新するステップＳ１９の処理に進む。
【００３５】
図６に、上記したアニメーション表示のための画像処理の具体例が示されている。図６（ａ）に３コマの場合、図６（ｂ）に５コマの場合が例示されている。アニメーション表示のために実行される画像処理は、現画像ｎ（第１画像）と続く次の画像ｎ＋１（第２画像）の一部とを合成する処理である。縦の時間軸方向に沿って部分的な合成処理を繰り返し、最終的にサムネイル画像が切替わる。このとき、現画像の一部は画像の送り方向の逆側であり、続く次の画像の一部は画像の送り方向側であり、現画像の一部となる面積と続く次の画像となる面積の比は、コマ数に応じて制御される。
【００３６】
なお、制御部１１は、画像の送り速度に基づく上記の制御は、画像の送り速度が遅いほどコマ数を多くし、画像送り速度が所定の速度を超える場合は上記したアニメーション処理を実行することなく単なる画像の切り替えのみとする。このことにより、不要な処理を省き制御部１１の処理負荷を軽減することができる。
【００３７】
以上の説明は、前後（あるいは左右）に一次元配列された画像の画面切り替え制御について説明したが、多次元配列された画像についても同様に、次に表示する画像を効果的に視認できるような画像の切り替え制御が可能であり、かつ、送り方向の判別が容易である。図７に、２次元配列の場合の画面切り替えの概念図が示されている。
【００３８】
図７は、例えば、ブラケット撮影のように、異なる露出で撮影された画像が縦方向に複数配列され、横方向に、日付順に画像が配列されるケースを想定している。すなわち、画像が２以上の基準にしたがい、縦、横、あるいは斜めの多次元方向に配列される場合であり、この場合、送り方向は、仮想的に２次元以上になっている。この場合も同様に、制御部１１が、表示中の画像から送られる次の画像に表示を置き換える途中で行う所定の画像処理を、例えば、画像の送り速度や表示するサイズのような所定の条件にしたがい制御するため、現在表示している画像と次に表示する画像との配列関係を考慮して次に表示する画像を効果的に視認できるようになり、その際の負荷が過剰にも不足にもならず適切に制御することができる。また、表示中の画像と送られる次の画像とを基に所定の画像処理を行なうため、送り方向が判別しやすくなる。
なお、図７において上下方向に画像が送られる場合のコマ数の計算は、前述したコマ数の計算において、Ｌを画像の縦ピクセルサイズとすればよい。
【００３９】
（実施形態の効果）
以上説明のように、本実施形態に係る画像表示装置１によれば、表示中の画像から送られる次の画像に表示を置き換える途中で行う所定の画像処理を、例えば、画像の送り速度や表示するサイズのような所定の条件にしたがい制御するため、現在表示している画像と次に表示する画像との配列関係を考慮して次に表示する画像を効果的に視認できるようになり、その際の負荷が過剰にも不足にもならず適切に制御することができる。また、表示中の画像と送られる次の画像とを基に所定の画像処理を行なうため、送り方向が判別しやすくなる。
【００４０】
なお、本実施形態に係る画像表示装置１では、列表示モードにおけるサムネイル画像に対してのみアニメーション表示を行うものとして説明したが、更に表示画面中央部に拡大表示される画像に対して行ってもよく、また、全画面表示モードにおいても上記したアニメーション表示を行ってもよい。また、コマ数の計算式は、高解像度の表示部を用いる場合はより滑らかな方向に表示するためにコマ数が増える方向に、逆に低解像度の表示部を用いる場合は、不要に多いコマ数を省くためにコマ数が減る方向になるように解像度を考慮するようにしてもよい。
【００４１】
また、画面下部に表示されるサムネイルの数は、７以上でもよく、また、表示画面中央部に拡大表示される画像との位置関係は上下逆でも左右に並んでもよい。また、送り操作は、十字キーやコントロールダイヤル以外に、タッチパネルを備える場合はフリック操作で代替してもよい。また、画像の送り速度は、操作の時間間隔によらず、例えば、０．５秒／枚のように固定でもよく、その場合、キーリピート操作の有無判定で画像の送り速度を切り替えるようにしてもよい。
さらに、本発明はカメラに限定されるものではなく、例えば、スマートフォン、ＰＣ等のような画像表示装置であってもよい。
【００４２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またそのような変更または改良を加えた形態も本発明の技術的範囲に含まれ得ることが、特許請求の範囲の記載から明らかである。
【００４３】
以下に、この出願の願書に最初に添付した特許請求の範囲に記載した発明を付記する。付記に記載した請求項の項番は、この出願の願書に最初に添付した特許請求の範囲の通りである。
【００４４】
〔付記〕
［請求項１］
複数の画像を記憶する記憶手段と、
所定の送り操作により、前記記憶手段に記憶されている複数の画像を所定の基準に基づく配列順で送りながら所定の表示サイズで表示画面に表示する表示手段と、
前記表示手段により表示中の第１画像を、前記所定の送り操作により送られる第２画像に置き換える際に、前記第１画像と第２画像を基に所定の画像処理を行った処理画像を、前記第１画像から前記第２画像へ表示を置き換える途中経過を示すように表示する表示制御手段と、
前記所定の画像処理を、前記第１画像から前記第２画像へ１回表示を置き換える前記画像の送り速度又は前記所定の表示サイズに応じて変化させる画像処理制御手段と、
を備えることを特徴とする画像表示装置。
［請求項２］
前記画像処理制御手段は、前記所定の画像処理の頻度を、前記画像の送り速度又は前記所定の表示サイズに応じて変化させることを特徴とする請求項１に記載の画像表示装置。
［請求項３］
前記所定の画像処理は、前記第１画像の一部と前記第２画像の一部とを、前記所定の表示サイズに合成して前記処理画像を生成する処理であることを特徴とする請求項２に記載の画像表示装置。
［請求項４］
前記第１画像の一部は前記画像の送り方向の逆側であり、前記第２画像の一部は前記画像の前記送り方向側であることを特徴とする請求項３に記載の画像表示装置。
［請求項５］
前記画像処理制御手段は、前記表示制御手段による前記処理画像の表示ごとに前記第１画像の一部となる面積と前記第２画像となる面積の比の変化量を、前記頻度に応じて変化させることを特徴とする請求項３または請求項４に記載の画像表示装置。
［請求項６］
前記画像処理制御手段は、前記画像の送り速度が遅いほど前記頻度を高くすることを特徴とする請求項２から請求項５のいずれか１項に記載の画像表示装置。
［請求項７］
前記画像処理制御手段は、
前記画像の送り速度が所定の速度を超える場合、前記画像処理を行わないことを特徴とする請求項１から請求項６のいずれか１項に記載の画像表示装置。
［請求項８］
前記画像処理制御手段は、前記表示サイズが大きいほど前記頻度を高くすることを特徴とする請求項２から請求項５のいずれか１項に記載の画像表示装置。
［請求項９］
前記画像処理制御手段は、前記画像のサムネイルを前記表示サイズで前記表示画面に複数配列して表示するとともに、その表示中の前記サムネイルの一を識別表示し、さらに、前記識別表示された前記サムネイルに該当する画像を前記サムネイルと重複しないように前記表示サイズよりも大きいサイズで前記表示画面に表示し、前記画像処理を前記サムネイルに対して行うことを特徴とする請求項１から請求項８のいずれか１項に記載の画像表示装置。
［請求項１０］
前記識別表示は、前記複数配列して表示している前記サムネイルのうち中央の前記サムネイルを他の前記サムネイルより位置をずらして表示するものであることを特徴とする請求項９に記載の画像表示装置。
［請求項１１］
前記配列の基準が２以上であり、送り方向が２次元以上であることを特徴とする請求項１から請求項８のいずれか１項に記載の画像表示装置。
［請求項１２］
複数の画像を記憶する記憶手段を有する画像表示装置における画像表示方法であって、
所定の送り操作により、前記記憶手段に記憶されている複数の画像を所定の基準に基づく配列順で送りながら所定の表示サイズで表示画面に表示する表示ステップと、
前記表示ステップにより表示中の第１画像を、前記所定の送り操作により送られる第２画像に置き換える際に、前記第１画像と前記第２画像を基に所定の画像処理を行った処理画像を、前記第１画像から前記第２画像へ表示を置き換える途中経過を示すように表示する表示制御ステップと、
前記所定の画像処理を、前記第１画像から前記第２画像へ１回表示を置き換える前記画像の送り速度又は前記所定の表示サイズに応じて変化させる画像処理制御ステップと、
を含むことを特徴とする画像表示方法。
［請求項１３］
複数の画像を記憶する記憶手段を有する画像表示装置のコンピュータに、
所定の送り操作により、前記記憶手段に記憶されている複数の画像を所定の基準に基づく配列順で送りながら所定の表示サイズで表示画面に表示する表示機能と、
前記表示機能により表示中の第１画像を、前記所定の送り操作により送られる第２画像に置き換える際に、前記第１画像と前記第２画像を基に所定の画像処理を行った処理画像を、前記第１画像から前記第２画像へ表示を置き換える途中経過を示すように表示する表示制御機能と、
前記所定の画像処理を、前記第１画像から前記第２画像へ１回表示を置き換える前記画像の送り速度又は前記所定の表示サイズに応じて変化させる画像処理制御機能と、
を実現する画像表示装置のプログラム。
【符号の説明】
【００４５】
１…画像表示装置、１１…制御部、１２…電源部、１３…記憶部、１４…操作部、１５…撮像部、１６…表示部
【図１】
2015176527.tif 000003
【図２】
2015176527.tif 000004
【図３】
2015176527.tif 000005
【図４】
2015176527.tif 000006
【図５】
2015176527.tif 000007
【図６】
2015176527.tif 000008
【図７】
2015176527.tif 000009